(57)【特許請求の範囲】
【請求項１】
所定の搬送路上を移送される卵パックの角部の稜線を含む第１の貼付け面にラベルの第１の部分を貼り付け可能なラベル貼付け機構と、
このラベル貼付け機構より移送方向下流側に配置するとともに、前記卵パックの前記第１の貼付け面とは異なる第２の貼付け面に向かって前記稜線部分から該ラベルの前記第１の部分とは異なる第２の部分を折り曲げてこれを前記第２の貼付け面に圧着可能なラベル折曲げ圧着機構と、
を有し、
前記卵パックの前記角部にまたがって前記ラベルを貼り付けるラベル角貼り機において、
前記搬送路に対してラベル折曲げ圧着機構とは反対側にこれを設けた回転可能なガイドローラーと、
前記ガイドローラーは、
前記搬送路に沿って一直線上にこれを複数個設け、
前記卵パックの側面の突出縁部に当接し、前記卵パックを前記搬送路上に沿って接触圧力を低減して案内するようにしたことを特徴とするラベル角貼り機におけるラベル貼付け物体案内装置。
【請求項２】
前記ガイドローラーは、自由回転することを特徴とする請求項１記載のラベル角貼り機におけるラベル貼付け物体案内装置。
【発明の詳細な説明】
【０００１】
【発明の属する技術分野】
本発明はラベル角貼り機におけるラベル貼付け物体案内装置にかかるもので、とくに卵パックその他の立体形状を呈したラベル貼付け物体の角部（稜線部）にまたがってラベルを貼り付けるためのラベル角貼り機におけるラベル貼付け物体案内装置に関するものである。
【０００２】
【従来の技術】
従来から、卵パックその他角部を有する商品包装容器などのラベル貼付け物体にラベルを貼付するには、様々な工夫がなされているが、一般的には、ラベルの一部を上面に貼り付けたのち、いくつかのローラーにより角部の角度に応じており曲げおよび圧着を行ってゆく方法がある。
図３は、卵パック１（ラベル貼付け物体）の角部２にラベル３を貼付した状態を示す側面図であって、いわゆるラベル角貼りの状態を示している。
「ラベル角貼り」とは、卵パック１の第１の貼付け面１Ａ（たとえば天面ないし上面）にラベル３の第１の部分３Ａを貼り付け（初期貼付）、さらにラベル３の第１の貼付け面１Ａから第１の貼付け面１Ａとは異なる第２の貼付け面１Ｂ（たとえば側面）にラベル３の第２の部分３Ｂを貼付し、角部２すなわちその間の稜線１Ｃにまたがってラベル３を貼付する貼付け形態である。
【０００３】
図４は、このラベル３を貼付（初期貼付）するラベル貼付け機構４の要部正面図であって、ラベル貼付け機構４は、剥離ピン５と、貼付ローラー６と、を有する。
ラベル３を仮着した帯状の台紙７のみを剥離ピン５の部分で転向させてラベル３を剥離し、コンベア８などによって所定の搬送路上を移送される卵パック１の第１の貼付け面１Ａに、貼付ローラー６を回動させることにより、ラベル３の第１の部分３Ａを水平状態に初期貼付する。
図５は、この初期貼付の状態を示す、卵パック１の移送方向からみた側面図である。
【０００４】
図６は、ラベル角貼り機９の平面図であって、ラベル角貼り機９は、上述のラベル貼付け機構４と、ラベル折曲げ圧着機構１０と、を有する。
ラベル折曲げ圧着機構１０は、ラベル３の第２の部分３Ｂを卵パック１の第２の貼付け面１Ｂに折り曲げ、圧着し、最終貼付するためのもので、折曲げ圧着ローラー群１１と、アーム群１２と、を有する。
【０００５】
折曲げ圧着ローラー群１１は、複数個（たとえば６個）のローラー１１Ａ（貼付ローラー６側に最も近い最上流側のローラー）、１１Ｂ、１１Ｃ、１１Ｄ、１１Ｅ、１１Ｆ（貼付ローラー６側から最も遠い最下流側のローラー）を角部２の移送方向延長線上に配置したものである。
【０００６】
アーム群１２は、それぞれのローラー１１Ａ〜１１Ｆが卵パック１の第２の貼付け面１Ｂに対するそれぞれの角度をわずかづつ変化させることができるように、それぞれのアーム部１２Ａ（貼付ローラー６側に最も近い最上流側のアーム部）、１２Ｂ、１２Ｃ、１２Ｄ、１２Ｅ、１２Ｆ（貼付ローラー６側から最も遠い最下流側のアーム部）の第２の貼付け面１Ｂに対する姿勢を可変としてある。
【０００７】
図７は、折曲げ圧着ローラー群１１の角度の変化状態を示す、卵パック１の移送方向からみた側面図である。
なお、折曲げ圧着ローラー群１１による卵パック１へのラベル３の貼付け作用（押付け作用）を可能とするために、ラベル３を貼る側面（すなわち、第１の貼付け面３Ａおよび第２の貼付け面３Ｂ側の側面）とは反対側において、卵パック１の側面（突出縁部１Ｄ）に当接するように案内板１３を設けて、この案内板１３に沿って卵パック１を搬送するようにしている。
あるいは、案内板１３の代わりに断面円形の案内用棒材１４（図７中仮想線）を搬送路方向に沿って設けることにより、突出縁部１Ｄを挟んだ他のふたつ側面１Ｅあるいは側面１Ｆのいずれかをガイドする場合もある。
【０００８】
図８（１）〜（６）は、それぞれのローラー１１Ａ〜１１Ｆの卵パック１の第２の貼付け面１Ｂに対する角度がわずかづつ変化してゆく様子を示した、卵パック１の移送方向からみた側面図である。
図示のように、卵パック１がコンベア８上を移送されてゆく間に、固定状態にあるそれぞれのローラー１１Ａ〜１１Ｆがわずかづつ互いにその角度を変えることにより、稜線１Ｃの部分から第２の貼付け面１Ｂ方向にラベル３の第２の部分３Ｂを折り曲げ、角貼り操作を行う。
【０００９】
こうした構成のラベル角貼り機９において、図５に示したように、ラベル貼付け機構４によりラベル３を初期貼付し、図７および図８に示すようにラベル折曲げ圧着機構１０によりラベル３の第２の部分３Ｂを卵パック１の第２の貼付け面１Ｂに圧着して貼付する。
【００１０】
しかしながら、図７に示すように、卵パック１のコンベア８上における、ラベル折曲げ圧着機構１０とは反対側の案内として案内板１３を卵パック１の側面（突出縁部１Ｄ）に当接させて卵パック１を案内しているだけであるので、卵パック１のガイドされた突出縁部１Ｄがラベル折曲げ圧着機構１０における折曲げ圧着ローラー群１１（ローラー１１Ａ〜１１Ｆ）による搬送方向とは直角な横方向への圧着力によって案内板１３に押し付けられる結果、つぶれるという問題がある。
側面１Ｅあるいは側面１Ｆに当接して案内板１３あるいは案内用棒材１４を設けた場合には、これらの側面１Ｅ、１Ｆに擦り傷があるという問題がある。
なおまた、ラベル貼付け物体として単純な立方体あるいは直方体の形状を有してその角部にラベル３を貼り付けるような場合にも、その側面をガイドする際に擦り傷が発生するという問題がある。
【００１１】
なおまた、ラベル貼付け機構４におけるコンベア８の移送速度を高速化するほど、こうした卵パック１の損傷の発生頻度が上がり、ラベル貼付け処理能力の向上の障害となっているという問題がある。
さらに、卵パック１と案内板１３との間における抵抗が大きいために、卵パック１がコンベア８上で滑ってその正常な搬送に支障が発生するという問題がある。
【００１２】
【発明が解決しようとする課題】
本発明は以上のような諸問題にかんがみなされたもので、卵パックなどラベル貼付け物体へのラベルの貼付け操作を安定して行うとともに、ラベル貼付け物体の側面の保護を可能としたラベル角貼り機におけるラベル貼付け物体案内装置を提供することを課題とする。
【００１３】
また本発明は、ラベル貼付け物体へのラベルの貼付けにともなうラベル貼付け物体の側面の損傷を回避可能なラベル角貼り機におけるラベル貼付け物体案内装置を提供することを課題とする。
【００１４】
また本発明は、ラベル貼付け物体の側面への接触面積をできるだけ少なくしつつこれを案内可能としたラベル角貼り機におけるラベル貼付け物体案内装置を提供することを課題とする。
【００１５】
また本発明は、ラベル折曲げ圧着機構などによるラベル貼付け物体の側面への横方向への押付け力をできるだけ少なくしつつラベル貼付け物体を搬送方向に案内可能とし、安定した搬送を行うことができるラベル角貼り機におけるラベル貼付け物体案内装置を提供することを課題とする。
【００１６】
【課題を解決するための手段】
すなわち本発明は、卵パックなどのラベル貼付け物体の側面を回転可能なガイドローラーによりガイドすることに着目したもので、所定の搬送路上を移送される卵パックの角部の稜線を含む第１の貼付け面にラベルの第１の部分を貼り付け可能なラベル貼付け機構と、このラベル貼付け機構より移送方向下流側に配置するとともに、前記卵パックの前記第１の貼付け面とは異なる第２の貼付け面に向かって前記稜線部分から該ラベルの前記第１の部分とは異なる第２の部分を折り曲げてこれを前記第２の貼付け面に圧着可能なラベル折曲げ圧着機構と、を有し、前記卵パックの前記角部にまたがって前記ラベルを貼り付けるラベル角貼り機において、前記搬送路に対してラベル折曲げ圧着機構とは反対側にこれを設けた回転可能なガイドローラーと、前記ガイドローラーは、前記搬送路に沿って一直線上にこれを複数個設け、前記卵パックの側面の突出縁部に当接し、前記卵パックを前記搬送路上に沿って接触圧力を低減して案内するようにしたことを特徴とするラベル角貼り機におけるラベル貼付け物体案内装置である。
【００１７】
上記ガイドローラーは、自由回転することができる。
【００１９】
本発明によるラベル角貼り機におけるラベル貼付け物体案内装置では、卵パックその他のラベル貼付け物体における突出縁部などの側面を回転可能なガイドローラーにより搬送方向に沿ってガイドすることとしたので、このガイドローラーがラベル貼付け物体の側面に線接触することとなり、接触面積をきわめて小さくしつつ回転し、ラベル貼付け物体を搬送路に沿って円滑に案内可能である。
したがって、ラベル貼付け物体へのラベルの貼付け操作にともなうラベル貼付け物体の反対側からのラベル折曲げ圧着機構などによる横方向への押付け作用があっても、ラベル貼付け物体の側面の損傷を回避し、ラベル貼付け物体にラベルを貼り付けていくことができる。
【００２０】
【発明の実施の形態】
つぎに本発明の実施の形態によるラベル角貼り機におけるラベル貼付け物体案内装置２０を図１および図２にもとづき説明する。ただし、図３ないし図８と同様の部分には同一符号を付し、その詳述はこれを省略する。
図１は、ラベル角貼り機におけるラベル貼付け物体案内装置２０を卵パック１の移送方向からみた側面図、図２は、同、平面図であって、ラベル角貼り機におけるラベル貼付け物体案内装置２０は、搬送路（コンベア８）に沿って設けたガイド枠２１と、複数個のガイドローラー２２と、を有する。
【００２１】
ガイド枠２１は、図２に示すように、コンベア８の搬送方向左右において、ラベル角貼り機９およびラベル折曲げ圧着機構１０を配置した側とは反対側の側面に搬送路に沿ってこれを配置してあり、図１に示すように、搬送路に沿って一直線上に複数個のガイドローラー２２を回転可能に保持している。
【００２２】
すなわち、それぞれのガイドローラー２２は、ガイド枠２１に鉛直方向にそれぞれ設けたローラー回転軸２３のまわりに自由回転するもので、搬送路上を移送されてくる卵パック１の側面（突出縁部１Ｄ）に当接可能な高さおよび位置にこれを配置してある。
またガイドローラー２２は、樹脂製材料からこれを構成し、卵パック１との接触圧力を低減可能としてある。
【００２３】
こうした構成のラベル角貼り機におけるラベル貼付け物体案内装置２０において、コンベア８上を卵パック１が移送されてくるときに、ラベル角貼り機９にさしかかる手前側で、卵パック１はラベル角貼り機９との反対側の側面における突出縁部１Ｄにおいてラベル貼付け物体案内装置２０のガイドローラー２２と接触可能となる。
しかして、ラベル角貼り機９のラベル折曲げ圧着機構１０によるラベル３の角貼り作業が開始されると、その横方向の分力により卵パック１はラベル貼付け物体案内装置２０のガイドローラー２２側に押し付けられることになるが、ガイドローラー２２との接触部分は線接触であるとともに、卵パック１の移送にともなってガイドローラー２２が回転するため、抵抗力を低減して、押し付けられた卵パック１の側面への負担を軽減し、その突出縁部１Ｄの損傷を回避することができる。
さらに、ガイドローラー２２と卵パック１との間の抵抗を低減可能であるので、卵パック１がコンベア８上で滑ることがなく、正常かつ安定した搬送操作を行うことができる。
【００２４】
なお本発明においては、他の側面１Ｅ、１Ｆ（図７）に合わせてローラー回転軸２３の傾きを調整し、これらの側面１Ｅあるいは１Ｆをガイドローラー２２が当接しつつガイドし、側面１Ｅあるいは１Ｆを保護するような構成とすることもできる。
もちろん、ラベル貼付け物体に突出縁部１Ｄなどがなく、当該側面が平坦で垂直面である場合にも適用可能である。
【００２５】
【発明の効果】
以上のように本発明によれば、回転するガイドローラーにより卵パックなどのラベル貼付け物体の側面をガイドするようにしたので、ラベル貼付け物体への押付け圧力による負担を軽くしてその側面の損傷を回避することができる。
【図面の簡単な説明】
【図１】本発明の実施の形態によるラベル角貼り機におけるラベル貼付け物体案内装置２０を卵パック１の移送方向からみた側面図である。
【図２】同、平面図である。
【図３】従来の、卵パック１（ラベル貼付け物体）の角部２にラベル３を貼付したラベル角貼りの状態を示す側面図である。
【図４】同、ラベル３を貼付（初期貼付）するラベル貼付け機構４の要部正面図である。
【図５】同、初期貼付の状態を示す、卵パック１の移送方向からみた側面図である。
【図６】同、ラベル角貼り機９の平面図である。
【図７】同、折曲げ圧着ローラー群１１の角度の変化状態を示す、卵パック１の移送方向からみた側面図である。
【図８】同、その（１）〜（６）は、それぞれのローラー１１Ａ〜１１Ｆの卵パック１の第２の貼付け面１Ｂに対する角度がわずかづつ変化してゆく様子を示した、卵パック１の移送方向からみた側面図である。
【符号の説明】
１  卵パック（ラベル貼付け物体）
１Ａ  卵パック１の第１の貼付け面（たとえば天面ないし上面）
１Ｂ  卵パック１の第２の貼付け面（たとえば側面）
１Ｃ  卵パック１の稜線
１Ｄ  卵パック１の突出縁部（側面）
１Ｅ、１Ｆ  突出縁部１Ｄを挟んだ他のふたつの側面
２  卵パック１の角部
３  ラベル
３Ａ  ラベル３の第１の部分
３Ｂ  ラベル３の第２の部分
４  ラベル貼付け機構
５  剥離ピン
６  貼付ローラー
７  帯状の台紙
８  コンベア（搬送路）
９  ラベル角貼り機
１０  ラベル折曲げ圧着機構
１１  折曲げ圧着ローラー群
１１Ａ、１１Ｂ、１１、１１Ｃ、１１Ｄ、１１Ｅ、１１Ｆ  ローラー
１２  アーム群
１２Ａ、１２Ｂ、１２、１２Ｃ、１２Ｄ、１２Ｅ、１２Ｆ  アーム
１３  案内板（図７）
１４  案内用棒材（図７）
２０  ラベル角貼り機におけるラベル貼付け物体案内装置（実施の形態、図１、図２）
２１  ガイド枠
２２  ガイドローラー
２３  ローラー回転軸
【図１】
0004592863.tif 000002
【図２】
0004592863.tif 000003
【図３】
0004592863.tif 000004
【図４】
0004592863.tif 000005
【図５】
0004592863.tif 000006
【図６】
0004592863.tif 000007
【図７】
0004592863.tif 000008
【図８】
0004592863.tif 000009